(57)【要約】【課題】バルコニーやベランダの床を通して日差しや風を必要なときに取り入れることができるルーバ型フロアを提供する。【解決手段】  一端部を軸として上下に回動可能で、かつ、隣接して並設された複数のルーバ床部材６と、これら複数のルーバ床部材６を上下に回動させる回動手段７とを備え、この回動手段７によって複数のルーバ床部材６を上方に回動させることによって、隣り合うルーバ床部材６，６間に隙間が生じるので、この隙間を通して日差しや風を必要なときに取り入れることができ、また、回動手段７によってルーバ床部材６を立ち上がった状態から下方に回動させることによって、これらルーバ床部材６を水平として日差し、風、雨がベランダ２の床を通り抜けるのを防止できる。【選択図】図１
2006193972.tif 000002
【特許請求の範囲】
【請求項１】
ベランダまたはバルコニーの床の少なくとも一部を構成するルーバ型フロアであって、
一端部を軸として上下に回動可能で、かつ、隣接して並設された複数のルーバ床部材と、
これら複数のルーバ床部材を上下に回動させる回動手段とを備えたことを特徴とするルーバ型フロア。
【請求項２】
請求項１に記載のルーバ型フロアにおいて、
前記回動手段は、前記複数のルーバ床部材の一端部の下面にそれぞれ突設された複数のアームと、これらアームを連結する連結レバーとを備え、
前記複数のルーバ床部材は、前記連結レバーをその軸方向に移動させることによって、前記複数のアームを介して、同期して上下に回動することを特徴とするルーバ型フロア。
【請求項３】
請求項１または２に記載のルーバ型フロアにおいて、
前記ルーバ床部材の一端部には樋用の溝が、ルーバ床部材の幅方向に延在して形成されており、前記ルーバ床部材の他端部には、隣接するルーバ床部材の溝に上方から挿入される挿入片が該ルーバ床部材の幅方向に延在して形成されていることを特徴とするルーバ型フロア。
【発明の詳細な説明】
【技術分野】
【０００１】
本発明は、建物のベランダやバルコニーの床を構成するルーバ型フロアに関する。
【背景技術】
【０００２】
ベランダやバルコニーは、通常、建物の開口部の前面に取り付けられており、この開口部からベランダやバルコニーに出入りできるようになっている。このようなバルコニーの一例として特許文献１に記載のものが知られている。
この特許文献１に記載のバルコニーは、バルコニー床と、このバルコニー床の周囲に立設されたバルコニー手摺りとからなり、このバルコニー手摺りは、開口部の正面に設けられた不透明な壁と、この壁の左側又は右側に設けられた窓とからなり、この窓には、隙間を設けて複数のルーバ片を略平行に取り付けたルーバ型格子が取り付けられているものである。
【０００３】
このようなバルコニーでは、正面から見ると、開口部の正面に設けられた不透明な壁面が邪魔になって、開口部の背後にある居室の内部が見えないし、斜め方向から見ると、ルーバ型格子の複数のルーバ片が邪魔になって、居室の内部が見え難い。
また、開口部を開けると、風は、ルーバ型格子の複数のルーバ片の間の隙間を経て、バルコニー内部と開口部の背後にある居室の内部に入り、バルコニー内部と居室が涼しくなる。
【特許文献１】特開２００３−２６８８６９号公報
【発明の開示】
【発明が解決しようとする課題】
【０００４】
しかしながら、上記のようなバルコニーでは、バルコニー手摺りに設けられているルーバ片の間の隙間を経てバルコニーおよびその背後にある部屋に風を取り入れることができるが、風はバルコニーの床を通り抜けることができないので、バルコニーの通風性を十分に確保できない場合があった。
また、バルコニーが設けられている階より、下階の部屋には、バルコニーの床が邪魔になって、日差しを十分に取り入れることができなかった。
一方、バルコニーの床にスリットを形成し、このスリットを通して日差しや風を取り入れることも考えられるが、日差しが比較的強くて不要な場合や強風の場合は、床にスリットを形成することは好ましくなく、また、雨天の場合、スリットを通して雨水が落下してくるので好ましくない。
【０００５】
本発明は上記事情に鑑みてなされたもので、バルコニーやベランダの床を通して日差しや風を必要なときに取り入れることができるルーバ型フロアを提供することを課題としている。
【課題を解決するための手段】
【０００６】
上記課題を解決するために、請求項１に記載の発明は、例えば図１〜図５に示すように、ベランダ２またはバルコニーの床の少なくとも一部を構成するルーバ型フロア５であって、
一端部を軸として上下に回動可能で、かつ、隣接して並設された複数のルーバ床部材６と、これら複数のルーバ床部材６を上下に回動させる回動手段７とを備えたことを特徴とする。
【０００７】
請求項１に記載の発明によれば、回動手段７によって複数のルーバ床部材６を上方に回動させることによって、隣り合うルーバ床部材６，６間に隙間が生じるので、この隙間を通して日差しや風を必要なときに取り入れることができる。
また、回動手段７によって複数のルーバ床部材６を立ち上がった状態から下方に回動させることによって、これらルーバ床部材６を水平として、ベランダ２またはバルコニーの床を形成できるので、日差し、風、雨がベランダ２またはバルコニーの床を通り抜けるのを防止できる。
【０００８】
請求項２に記載の発明は、請求項１に記載のルーバ型フロアにおいて、
前記回動手段７は、前記複数のルーバ床部材６の一端部の下面にそれぞれ突設された複数のアーム１５と、これらアーム１５を連結する連結レバー１６とを備え、
前記複数のルーバ床部材６は、前記連結レバー１６をその軸方向に移動させることによって、前記複数のアーム１５を介して、同期して上下に回動することを特徴とする。
【０００９】
請求項２に記載の発明によれば、連結レバー１６を手で把持して、軸方向に移動させることによって、複数のルーバ床部材６がアーム１５を介して、同期して上下に回動するので、ルーバ床部材６，６間に隙間を形成したり、この隙間を閉じたりする操作が簡単である。
また、前記連結レバー１６を建物の壁を通して建物内に挿入することによって、建物内からルーバ床部材６を上下に回動させることができる。
【００１０】
請求項３に記載の発明は、請求項１または２に記載のルーバ型フロアにおいて、
前記ルーバ床部材６の一端部には樋用の溝９が、ルーバ床部材６の幅方向に延在して形成されており、前記ルーバ床部材６の他端部には、隣接するルーバ床部材６の溝９に上方から挿入される挿入片６ａが該ルーバ床部材６の幅方向に延在して形成されていることを特徴とする。
【００１１】
請求項３に記載の発明によれば、ルーバ床部材６が一端部を軸として上下に回動する部材であっても、これらを立ち上がった状態から下方に回動させてルーバ床部材６の一端部に形成された樋用の溝９に、隣接するルーバ床部材６の他端部に形成された挿入片６ａを上方から挿入することによって、ベランダ２またはバルコニーの床に、互いに隣接するルーバ床部材６，６間において樋を容易に形成することができる。
【発明の効果】
【００１２】
本発明によれば、一端部を軸として上下に回動可能で、かつ、隣接して並設された複数のルーバ床部材と、これら複数のルーバ床部材を上下に回動させる回動手段とを備えているので、回動手段によって複数のルーバ床部材を上方に回動させることによって、隣り合うルーバ床部材間に隙間が生じるので、この隙間を通して日差しや風を必要なときに取り入れることができる。
また、回動手段によって複数のルーバ床部材を下方に回動させることによって、これらルーバ床部材を水平として、バルコニーの床を形成できるので、日差し、風、雨がバルコニーの床を通り抜けるのを防止できる。
【発明を実施するための最良の形態】
【００１３】
以下、図面を参照して本発明の実施の形態について説明する。
図１は、本発明に係るルーバ型フロアを備えた住宅を示す斜視図である。この住宅１は２階建ての建物であり、その２階の外壁にはベランダ２，２が左右に離間して設けられている。また、２階の外壁には、ベランダ２，２に面してそれぞれ窓３，３が設けられており、この窓３，３を通してベランダ２，２と建物内とを行き来できるようになっている。
また、１階の外壁には、窓４，４が左右に離間して設けられており、これら窓４，４はベランダ２，２の下方に位置している。
なお、図１では、ベランダ２には手摺２ａが前面と両側面に設けられているが、図示の都合上、ベランダ２の床が見えるように描いてある。
【００１４】
前記ベランダ２の床全体が本発明に係るルーバ型フロア５で構成されている。このルーバ型フロア５は以下のように構成されている。
すなわち、ルーバ型フロア５は、複数（図示では３枚）のルーバ床部材６と、これらルーバ床部材６を上下に回動させる回動手段７とを備えている。
ルーバ床部材６は、ベランダ２の長手方向に長尺な板状の部材であり、図２および図４示すように、横断面略コ字状をなす、ルーバ床本体８と、このルーバ床本体８の一端部（図において左端部）に該ルーバ床本体８と一体的に形成された溝９とを備えている。
【００１５】
前記溝９は、雨樋を構成するものであり、ルーバ床本体８の側壁８ａと、この側壁８ａに直角に形成された底板９ａと、この底板９ａに直角にかつ前記側壁８ａと平行に形成された側壁９ｂとによって形成された凹溝状のものであり、ルーバ床部材６の幅方向（図２において紙面と直交する方向）に延在して形成されている。
【００１６】
また、ルーバ床部材６の一端部には、ヒンジ部１０が設けられている。このヒンジ部１０は、一対のプレート１０ａ，１０ｂと、これらプレート１０ａ，１０ｂを回動自在に連結する回転軸１０ｃとから構成されており、プレート１０ａが前記側壁９ｂに取り付けられており、プレート１０ｂが枠体１１に取り付けられている。したがって、ルーバ床部材６は、回転軸１０ｃを軸として、つまりルーバ板部材６の一端部を軸として上下に回動可能となっている。
なお、上記のようなヒンジ部１０は、図３に示すように、ルーバ床部材６の幅方向両端部にそれぞれ設けられている。また、前記枠体１１は、矩形枠状に形成されたものであり、その長辺部が住宅１の２階の外壁に固定されるようになっている（図１参照）。また、複数のルーバ床部材６は、枠体１１に架設するようにして設置されている。
【００１７】
上記のような構成の複数のルーバ床部材６は、互いに隣接して枠体１１上に並設されており、一方のルーバ床部材６の他端部（図２において右端部）には、挿入片６ａが、ルーバ床本体８と直角にかつルーバ床本体８の幅方向に延在して形成されている。そして、互いに隣接しているルーバ床部材６，６のうちの一方のルーバ床部材６の挿入片６ａは、他方のルーバ床部材６の溝９に上方から挿入されるようになっている。
図２および図４に示すように、挿入片６ａが溝９に挿入された状態において、該挿入片６ａの下端部は、溝９の底板９ａに当接し、これによって、ルーバ床部部材６のルーバ床本体８の上面が水平となるとともに、全てのルーバ床部材６のルーバ床本体８の上面が面一となるようになっている。
また、図４および図５に示すように、右端に位置するルーバ床部材６の右側には、樋部材１２が枠体１１上に設置固定されており、この樋部材１２の溝１２ａに右端に位置するルーバ床部材６の挿入片６ａが挿入されているようになっている。
なお、ルーバ床部材６の下面には、該ルーバ床部材６を補強するためのリブ６ｂがルーバ床部材６の幅方向に所定間隔で複数形成されている。リブ６ｂはルーバ床部材６の一端部から他端部に向けて延在するように形成されており、該リブ６ｂの他端部（図において右端部）は、略三角形状に形成されている。
【００１８】
前記複数のルーバ床部材６を上下に回動させる回動手段７は以下のように構成されている。
すなわち、回動手段７は、図２〜図５に示すように、複数のルーバ床部材６の一端部の下面にそれぞれ突設された複数のアーム１５と、これらアーム１５を連結する連結レバー１６とを備えている。
アーム１５は、ルーバ床部材６の一端部において、前記ヒンジ部１０の回転軸１０ｃから離間した位置でかつルーバ床部材６の幅方向中央部の下面から下方に垂設されており、平行離間して対向する一対のアーム部材１５ａ，１５ａを備えている。アーム部材１５ａ，１５ａの下端部には軸１７が挿通支持されている。アーム１５はルーバ床部材６ごとに設けられているので、ルーバ床部材６の並設方向（ルーバ床部材６の幅方向と直交する方向）に一定間隔で配置されている。
一方、前記連結レバー１６は、ルーバ床部材６の並設方向（ルーバ床部材６の幅方向と直交する方向）に延在する棒状の部材である。そして、この連結レバー１６には、軸方向に所定間隔で、つまり、前記アーム１５が設けられている間隔と等しい間隔で、貫通孔が形成されており、これら貫通孔にそれぞれ前記アーム１５の軸１７が相対的に軸回りに摺動自在に挿入されている。
したがって、前記連結レバー１６をその軸方向に押し引きして移動させると、これに伴って、複数のアーム１５が押し引きされる。ルーバ床部材１６はヒンジ部１０によって回転軸１０ｃを軸として上下に回動自在となっているので、前記アーム１５が押し引きされることによって、該アーム１５を介して、同期して上下に回動するようになっている。
【００１９】
上記のような構成のルーバ型フロア５は、図１に示すように、ベランダ２の床の全体を構成しており、連結レバー１６は外壁を貫通して建物内に挿入されている。したがって、建物内から連結レバー１６を押し引きすることによって、複数のルーバ床部材６は、複数のアーム１５を介して、同期して上下に回動する。
【００２０】
このように、本実施の形態のルーバ型フロア５では、複数のルーバ床部材６を上方に回動させることによって、隣り合うルーバ床部材６，６間に隙間が生じるので、この隙間を通して日差しや風を必要なときに取り入れることができる。
また、回動手段７（アーム１５、連結レバー１６）によって複数のルーバ床部材６を下方に回動させることによって、これらルーバ床部材６を水平として、バルコニー２の床を形成できるので、日差し、風、雨がバルコニーの床を通り抜けるのを防止できる。
【００２１】
さらに、連結レバー１６を建物の内側から手で把持して、軸方向に移動させることによって、複数のルーバ床部材６がアーム１５を介して、同期して上下に回動するので、ルーバ床部材６，６間に隙間を形成したり、この隙間を閉じたりする操作が簡単である。
加えて、ルーバ床部材６を立ち上がっている状態から下方に回動させてルーバ床部材６の一端部に形成された樋用の溝９に、隣接するルーバ床部材６の挿入片６を上方から挿入することによって、ベランダ２の床に、互いに隣接するルーバ床部材６，６間において樋を容易に形成することができる。
【００２２】
なお、本実施の形態では、本発明のルーバ型フロア５をベランダ２の床に適用した場合を例にとって説明したが、本発明では、ルーバ型フロア５をバルコニーの床に適用してもよい。
また、本実施の形態では、ベランダ２の床全てをルーバ型フロア５で構成したが、例えばベランダが広い場合などは、ベランダ２の床の一部をルーバ型フロア５で構成してもよい。
さらに、本実施の形態では、ルーバ型フロア５のルーバ床部材６を窓３の面と平行に配置したが、これに限ることなく、窓３の面と直角に配置してもよい。この場合、ルーバ床部材の長さを短くし、ベランダ２の長手方向に沿ってルーバ床部材を多数並設することになるので、ルーバ床部材間に形成される隙間の総数や大きさを細かく調整することができる。
また、本実施の形態では、回動手段７を複数のルーバ床部材６の下面に垂設されたアーム１５とこれらアーム１５を連結する連結レバー１５とで構成したが、回動手段はこれに限ることなく、例えば、プーリやベルトを利用したものでもよく、また、手動に限らず、電動でもよい。
【図面の簡単な説明】
【００２３】
【図１】本発明に係るルーバ型フロアを適用した住宅を示す斜視図である。
【図２】本発明に係るルーバ型フロアの一例を示すもので、側断面である。
【図３】同、横断面図である。
【図４】同、ルーバ床部材を閉じた状態を示す斜視図である。
【図５】同、ルーバ床部材を開けた状態を示す斜視図である。
【符号の説明】
【００２４】
２  ベランダ
５  ルーバ型フロア
６  ルーバ床部材
６ａ  挿入片
７  回動手段
９  溝
１５  アーム
１６  連結レバー
【図１】
2006193972.tif 000003
【図２】
2006193972.tif 000004
【図３】
2006193972.tif 000005
【図４】
2006193972.tif 000006
【図５】
2006193972.tif 000007